【手続補正書】
【提出日】平成16年1月26日(2004.1.26)
【手続補正１】
【補正対象書類名】特許請求の範囲
【補正対象項目名】全文
【補正方法】変更
【補正の内容】
【特許請求の範囲】
【請求項１】
第１の通信装置が通信リンクを介して第２の通信装置と通信するための方法であって、前記第１の通信装置は複数のアンテナ素子を有し、当該方法は：
前記第２の通信装置から品質指示信号を受信するステップ；
前記品質指示信号に基づいて複素ウエイトを算出するステップ；
前記複素ウエイトに基づいて送信前信号を修正し、複数の修正済み送信前信号を生成するステップであって、複数の修正済み送信前信号の各送信済み送信前信号は、複数のアンテナ素子の内のあるアンテナ素子に固有に関連付けられるところのステップ；及び
効果的に合成された送信信号を生成するために、複数のアンテナ素子から複数の修正済み送信前信号を送信するステップ；
より成り、前記複素ウエイトは、送信信号の全電力と、複数のアンテナ素子の各アンテナ素子に関する位相回転及び電力比率の少なくとも１つとに関連付けられる
ことを特徴とする方法。
【請求項２】
送信信号の全電力が、前記第１の通信装置及び前記第２の通信装置間のチャネルのフェージングに関して最適化される
ことを特徴とする請求項１記載の方法。
【請求項３】
前記通信リンクが、ＣＤＭＡ−ＩＳ−９５Ａ／Ｂ、ＣＤＭＡ２０００  １Ｘ／ＲＴＴ、ＣＤＭＡ２０００  ３Ｘ、ＣＤＭＡ  ＥＶ−ＤＯ、ＷＣＤＭＡ、３Ｇユニバーサル移動通信システム（ＵＭＴＳ）及び４ＧＵＭＴＳより成る群中の少なくとも１つの符号分割多重アクセス（ＣＤＭＡ）プロトコルに準拠して形成される
ことを特徴とする請求項１記載の方法。
【請求項４】
前記品質指示信号が、ＣＤＭＡプロトコルに準拠する電力制御ビットであり、前記電力制御ビットは複数の期間の各期間に対して１又は０の値を有し、前記電力制御ビットは、前記第２の通信装置によって生成され、且つ、前記第２の通信装置に関する所定の閾値条件が満たされるように、前記第１の通信装置における送信信号の電力に対する調整内容を通知する
ことを特徴とする請求項３記載の方法。
【請求項５】
前記複素ウエイトが、前記送信信号の全電力と、複数のアンテナ素子の各アンテナ素子に関連する位相回転とに関連する
ことを特徴とする請求項４記載の方法。
【請求項６】
前記複素ウエイトを算出するステップが：
複数のアンテナ素子の各アンテナ素子に関連する電力比率を維持し、送信信号の全電力と並列の複数のアンテナ素子の各アンテナ素子に関する位相回転とを実質的に最適化するステップより成る
ことを特徴とする請求項５記載の方法。
【請求項７】
前記複素ウエイトを算出するステップが、前記複数のアンテナ素子の各アンテナ素子について実行され：
第１の時間に定常状態が得られるまで、複数のアンテナ素子の内のアンテナ素子に関連する位相回転を維持し、送信信号の全電力を調整するステップ；
各アンテナ素子に最適な位相回転を得るために、送信信号の全電力を維持し、複数のアンテナ素子の各アンテナ素子に関する位相回転を調整するステップ；及び
前記第１の時間に続く第２の時間に第２の定常状態が得られるまで、各アンテナ素子に対する最適な位相回転を維持し、送信信号の全電力を調整するステップ；
より成ることを特徴とする請求項５記載の方法。
【請求項８】
前記複数のアンテナ素子が、第１のアンテナ素子及び第２のアンテナ素子のみを含むことを特徴とする請求項５記載の方法。
【請求項９】
前記送信信号が、隣接する第１の電力制御グループ（ＰＣＧ）及び第２のＰＣＧを含み、前記第１のＰＣＧに関連する電力及び前記第２のＰＣＧに関連する電力が実質的に同じ電力Ｐであり、前記第１のＰＣＧはある値を有する自身の位相回転に関連付けられ、前記第２のＰＣＧは、前記第１のＰＣＧに関する値にオフセットを加えた値を有し；及び
前記複素ウエイトを算出するステップが：
最新の期間における電力制御ビットの値が、次に最新の期間における電力制御ビットの値に符合する場合には、前記第１のＰＣＧに関する位相回転及び前記第２のＰＣＧに関する位相回転を維持し、送信信号の全電力を調整するステップ；及び
最新の期間における電力制御ビットの値が、次に最新の期間における電力制御ビットの値と異なる場合には、送信信号の全電力を維持し、前記第１のＰＣＧに関する位相回転及び前記第２のＰＣＧに関する位相回転を調整するステップ；
より成ることを特徴とする請求項８記載の方法。
【請求項１０】
前記複素ウエイトを算出するステップが：
前記品質指示信号の定常状態を検出するステップ；
前記第２のアンテナ素子に関する位相回転を調整するステップ；
前記第２のアンテナ素子に対する位相回転の第１の方向を選択するステップであって、前記第１の方向は、前記第２の通信装置で受信される信号品質を向上させるように選択されるところのステップ；及び
境界が検出されるまで前記第１の方向で前記第２のアンテナ素子に関する位相回転を調整するステップ；
より成ることを特徴とする請求項８記載の方法。
【請求項１１】
前記複素ウエイトを算出するステップが：
第１の時間に前記品質指示信号の定常状態を検出するステップ；
前記第２のアンテナ素子に関する位相回転を調整するステップ；
前記第２のアンテナ素子に対する位相回転の第１の方向を選択するステップであって、前記第１の方向は、前記第２の通信装置で受信される信号品質を向上させるように選択されるところのステップ；及び
前記第１の時間に続く第２の時間に前記品質指示信号における第２の定常状態が検出されるまで、前記第１の方向で前記第２のアンテナ素子に関する位相回転を調整するステップ；
より成ることを特徴とする請求項８記載の方法。
【請求項１２】
前記複素ウエイトが、前記送信信号の全電力と、複数のアンテナ素子の各アンテナ素子に関連する位相回転と、複数のアンテナ素子の各アンテナ素子に関連する電力比率とに関連する
ことを特徴とする請求項４記載の方法。
【請求項１３】
前記複素ウエイトを算出するステップが：
複数のアンテナ素子の各アンテナ素子に関連する電力比率を維持し、送信信号の全電力と、並列の複数のアンテナ素子の各アンテナ素子に関する位相回転とを実質的に最適化するステップ；及び
複数のアンテナ素子の各アンテナ素子に関する位相回転を維持し、送信信号の全電力と、並列の複数のアンテナ素子の各アンテナ素子に関する電力比率とを実質的に最適化するステップ；
より成ることを特徴とする請求項１２記載の方法。
【請求項１４】
前記複素ウエイトを算出するステップが：
前記品質指示信号における定常状態が検出されるまで、複数のアンテナ素子の各アンテナ素子に関連する位相回転及び電力比率を維持し、送信信号の全電力を調整するステップ；
送信信号の全電力と、複数のアンテナ素子の各アンテナ素子に関連する電力比率を維持し、複数のアンテナ素子の各アンテナ素子に関する位相回転を調整するステップ；
複数のアンテナ素子の各アンテナ素子に関連する位相回転及び電力比率を維持し、送信信号の全電力を調整するステップ；
送信信号に関する全電力と、複数のアンテナ素子の各アンテナ素子に関する位相回転とを維持し、複数のアンテナ素子の各アンテナ素子に関する電力比率を調整するステップ；及び
複数のアンテナ素子の各アンテナ素子に関する位相回転と電力比率とを維持し、送信信号の全電力を調整するステップ；
より成ることを特徴とする請求項１２記載の方法。
【請求項１５】
前記複数のアンテナ素子が、第１のアンテナ素子及び第２のアンテナ素子を包含することを特徴とする請求項１２記載の方法。
【請求項１６】
前記送信信号が、隣接する第１の電力制御グループ（ＰＣＧ）及び第２のＰＣＧを含み、前記第１のＰＣＧに関連する電力及び前記第２のＰＣＧに関連する電力が実質的に同じ電力Ｐであり、前記第１のＰＣＧは、ある値を有する自身の位相回転とある値を有する自身の電力比率に関連付けられ、前記第２のＰＣＧは、前記第１のＰＣＧに関する位相回転値に位相オフセットを加えた自身の位相回転と、前記第１のＰＣＧに関する電力比率値に電力比率オフセットを加えた自身の電力比率とを有し；及び
前記複素ウエイトを算出するステップが：
最新の期間における電力制御ビットの値が、次に最新の期間における電力制御ビットの値に符合する場合には、前記第１のＰＣＧに関する位相回転及び前記第２のＰＣＧに関する位相回転を維持し、送信信号の全電力を調整するステップ；
最新の期間における電力制御ビットの値が、次に最新の期間における電力制御ビットの値と異なる場合には、送信信号の全電力を維持し、前記第１のＰＣＧに関する位相回転及び前記第２のＰＣＧに関する位相回転を調整するステップ；
最新の期間における電力制御ビットの値が、次に最新の期間における電力制御ビットの値に符合する場合には、前記第１のＰＣＧに関する電力比率及び前記第２のＰＣＧに関する電力比率を維持し、送信信号の全電力を調整するステップ；及び
最新の期間における電力制御ビットの値が、次に最新の期間における電力制御ビットの値と異なる場合には、送信信号の全電力を維持し、前記第１のＰＣＧに関する電力比率及び前記第２のＰＣＧに関する電力比率を調整するステップ
より成ることを特徴とする請求項１５記載の方法。
【請求項１７】
前記複素ウエイトを算出するステップが：
送信信号の全電力と、複数のアンテナ素子の各アンテナ素子に関連する電力比率とを維持し、複数のアンテナ素子の各アンテナ素子に関連する位相回転を調整するステップ；
位相回転を調整した後に、送信信号に関連する全電力と、複数のアンテナ素子の各アンテナ素子に関連する位相回転とを維持し、複数のアンテナ素子の各アンテナ素子に関連する電力比率を調整するステップ
ことを特徴とする請求項１５記載の方法。
【請求項１８】
複素ウエイトを算出するステップが：
第１のＰＣＧに関連する位相回転及び第２のＰＣＧに関連する位相回転を維持し、第１のＰＣＧに関連する電力比率及び第２のＰＣＧに関連する電力比率を維持し、送信信号の全電力を調整するステップ；
より成ることを特徴とする請求項１６記載の方法。
【請求項１９】
前記品質指示信号が、ＣＤＭＡプロトコルに準拠する第１フレーム品質インジケータを含むことを特徴とする請求項３記載の方法。
【請求項２０】
前記第１の通信装置が加入者通信装置であり；及び
前記第２の通信装置が基地局である；
ことを特徴とする請求項１記載の方法。
【請求項２１】
前記第１の通信装置が基地局であり；及び
前記第２の通信装置が加入者通信装置である；
ことを特徴とする請求項１記載の方法。
【請求項２２】
前記通信リンクが、少なくとも１つの時分割多重アクセス（ＴＤＭＡ）プロトコルに準拠して形成されることを特徴とする請求項１記載の方法。
【請求項２３】
前記複素ウエイトが、前記送信信号の全電力と、複数のアンテナ素子の各アンテナ素子に関連する位相回転とに関連付けられるが、複数のアンテナ素子の各アンテナ素子に関連する電力比率には関連付けられないことを特徴とする請求項４記載の方法。
【請求項２４】
前記複素ウエイトを算出するステップが：
複数のアンテナ素子の各アンテナ素子に関連する電力比率を維持し、送信信号の全電力と並列の複数のアンテナ素子の各アンテナ素子に関する位相回転とを実質的に最適化するステップより成る
ことを特徴とする請求項２２記載の方法。
【請求項２５】
前記複素ウエイトを算出するステップが、前記複数のアンテナ素子の各アンテナ素子について実行され：
第１の時間に定常状態が得られるまで、複数のアンテナ素子の内のアンテナ素子に関連する位相回転を維持し、送信信号の全電力を調整するステップ；
各アンテナ素子に最適な位相回転を得るために、送信信号の全電力を維持し、複数のアンテナ素子の各アンテナ素子に関する位相回転を調整するステップ；及び
前記第１の時間に続く第２の時間に第２の定常状態が得られるまで、各アンテナ素子に対する最適な位相回転を維持し、送信信号の全電力を調整するステップ；
より成ることを特徴とする請求項２２記載の方法。
【請求項２６】
前記通信リンクが、少なくとも１つの周波数分割多重アクセス（ＦＤＭＡ）プロトコルに準拠して形成されることを特徴とする請求項１記載の方法。
【請求項２７】
前記複素ウエイトが、前記送信信号の全電力と、複数のアンテナ素子の各アンテナ素子に関連する位相回転とに関連付けられるが、複数のアンテナ素子の各アンテナ素子に関連する電力比率には関連付けられないことを特徴とする請求項２６記載の方法。
【請求項２８】
前記複素ウエイトを算出するステップが：
複数のアンテナ素子の各アンテナ素子に関連する電力比率を維持し、送信信号の全電力と並列の複数のアンテナ素子の各アンテナ素子に関する位相回転とを実質的に最適化するステップより成る
ことを特徴とする請求項２６記載の方法。
【請求項２９】
前記複素ウエイトを算出するステップが、前記複数のアンテナ素子の各アンテナ素子について実行され：
第１の時間に定常状態が得られるまで、複数のアンテナ素子の内のアンテナ素子に関連する位相回転を維持し、送信信号の全電力を調整するステップ；
各アンテナ素子に最適な位相回転を得るために、送信信号の全電力を維持し、複数のアンテナ素子の各アンテナ素子に関する位相回転を調整するステップ；及び
前記第１の時間に続く第２の時間に第２の定常状態が得られるまで、各アンテナ素子に対する最適な位相回転を維持し、送信信号の全電力を調整するステップ；
より成ることを特徴とする請求項２６記載の方法。
【請求項３０】
第１通信装置のシステムパフォーマンスを改善する方法であって：
第２通信装置からの品質指示信号と、送信前信号とを受信するステップ；
送信前信号を第１の信号成分と第２の信号成分に分けるステップ；
前記品質指示信号に基づいて、前記第１の信号成分及び前記第２の信号成分より成る群中の少なくとも１つに関連する少なくとも１つの特性を調整するステップであって、前記少なくとも１つの特性は、電力比率及び位相回転より成る群中のものであるところのステップ；及び
複数のアンテナ素子の内のアンテナ素子に固有に関連付けられる送信信号成分を生成するために、第１信号成分及び第２信号成分を合成するステップであって、前記複数のアンテナ素子の内のアンテナ素子に固有に関連付けられる送信信号成分は、送信前信号に関する低相関性形式のものであるところのステップ；
より成ることを特徴とする方法。
【請求項３１】
前記品質指示信号がＣＤＭＡ電力制御信号であり、前記電力制御信号は、各期間について、増加指標、減少指標又は定常状態指標を有し；
複数のアンテナ素子の各アンテナ素子について位相回転を調整するステップが：
第１の期間に続く第２の期間に電力制御信号が前記増加指標を有するまで、前記第１の信号成分に関連する位相回転を変更するステップより成る
ことを特徴とする請求項３０記載の方法。
【請求項３２】
複数のアンテナ素子の各アンテナ素子について電力比率を調整するステップが：
複数のアンテナ素子の各アンテナ素子について、アンテナ素子に関する送信信号成分に関連する電力比率を、複数のアンテナ素子の残余のアンテナ素子がディセーブルされる場合に測定するステップ；
複数のアンテナ素子の前記残余のアンテナ素子に関連する各アンテナ素子に関する電力比率を記録するステップ；及び
各アンテナ素子に関する電力比率が実質的に維持されるように、複数のアンテナ素子の各アンテナ素子について、前記第１の信号成分及び前記第２の信号成分に関する電力比率を調整するステップ；
より成ることを特徴とする請求項３１記載の方法。
【請求項３３】
電力を調整するステップが、位相の調整に続いて行なわれることを特徴とする請求項３２記載の方法。
【請求項３４】
複数のアンテナ素子を有する第１通信装置であって：
第２通信装置から品質指示信号を受信し、複数の複素ウエイトを生成する制御論理素子；及び
前記制御論理素子に接続される複数の回路であって、複数の回路の各回路は、複数のアンテナの内のアンテナに固有に関連付けられ、複数の回路の各回路は、複数の複素ウエイトに基づいて修正された送信前信号を生成するところの複数の回路；
を備え、前記複数の複素ウエイトは、送信信号の全電力と、複数のアンテナ素子の各アンテナ素子に関連する位相回転及び電力比率の少なくとも１つとに関連する
ことを特徴とする第１通信装置。
【請求項３５】
前記複数の回路の各回路が：
送信前信号を受信し、第１の送信前信号成分及び第２の送信前信号成分を生成するフィルタ；
前記フィルタに接続され、前記第１の送信前信号成分と複数の複素ウエイト中の複素ウエイトとを受信するよう形成される第１信号調整部であって、該第１信号調整部に対する複素ウエイトに基づいて修正済み送信前信号を送信するよう形成される第１信号調整部；及び
前記フィルタに接続され、前記第２の送信前信号成分と複数の複素ウエイト信号中の複素ウエイト信号とを受信するよう形成される第２信号調整部であって、該第２信号調整部に対する複素ウエイトに基づいて修正済み送信前信号を送信するよう形成される第１信号調整部；
を有することを特徴とする請求項３４記載の第１通信装置。
【請求項３６】
前記第１信号調整部が、前記第１信号調整部により受信された複素ウエイトに基づいて、送信前信号成分に関連する少なくとも１つの特性を修正するよう形成され、前記少なくとも１つの特性は、電力及び位相回転より成る群中のものであり；及び
前記第２信号調整部が、前記第２信号調整部により受信された複素ウエイトに基づいて、第２の送信前信号成分に関連する少なくとも１つの特性を修正するよう形成され、前記少なくとも１つの特性は、電力及び位相回転より成る群中のものである；
ことを特徴とする請求項３５記載の第１通信装置。
【請求項３７】
更に：
複数の回路に接続された複数のアンテナ素子を有し、該複数のアンテナ素子は、送信信号を生成するために複数の修正された送信前信号を送信するよう形成され、前記送信信号は第２通信装置によって受信される場合に最適な電力を有するように形成されることを特徴とする請求項３６記載の第１通信装置。
【請求項３８】
送信信号の全電力が、前記第１の通信装置及び前記第２の通信装置間のチャネルのフェージングに関して実質的に最適化される
ことを特徴とする請求項３４記載の第１通信装置。
【請求項３９】
送信信号が、少なくとも１つの符号分割多重アクセス（ＣＤＭＡ）プロトコルに基づいて、前記第１の通信装置により送信される
ことを特徴とする請求項３４記載の第１通信装置。
【請求項４０】
前記複数の回路の各回路が、更に：
前記フィルタに接続されたアナログ・ディジタル変換器；及び
前記第１信号調整部及び前記第２信号調整部に接続されたディジタル・アナログ変換器；
を備え、前記フィルタにより生成される前記第１の信号成分は、同相成分の送信前信号であり；及び
前記フィルタにより生成される前記第２の信号成分は、直交成分の送信前信号である；
ことを特徴とする請求項３７記載の第１通信装置。
【請求項４１】
送信信号が、少なくとも１つの時分割多重アクセス（ＴＤＭＡ）プロトコルに基づいて、第１通信装置により送信されることを特徴とする請求項３７記載の第１通信装置。
【請求項４２】
送信信号が、少なくとも１つの周波数分割多重アクセス（ＦＤＭＡ）プロトコルに基づいて、第１通信装置により送信されることを特徴とする請求項３７記載の第１通信装置。
【請求項４３】
送信前信号を送信するよう形成されるベースバンドシステム；
前記ベースバンドシステムに接続される品質指示信号修正部であって、複数の修正済み送信前信号を生成するために、第２通信装置からの品質指示信号に基づいて送信前信号の特性を修正するよう形成される品質指示信号修正部；及び
前記品質指示信号修正部に接続される複数のアンテナ素子であって、前記複数の修正済み送信前信号の各々は、前記複数のアンテナ素子の内のアンテナ素子に固有に関連付けられ、前記複数の修正済み送信前信号の各修正済み送信前信号は、送信前信号に関する低相関性形式のものであるところの複数のアンテナ素子；
を備えることを特徴とする第１通信装置。
【請求項４４】
前記品質指示信号修正部がベクトル変調器を含み、前記ベクトル変調器は、フィルタと、第１信号調整部と、第２信号調整部とを含み、前記フィルタは、前記送信前信号を第１の信号成分及び第２の信号成分に分けるように形成され、前記第１信号調整部は、前記品質指示信号に関連する複素ウエイトに基づいて前記第１の信号成分を調整するよう形成され、前記第２信号調整部は、前記品質指示信号に関連する複素ウエイトに基づいて前記第２の信号成分を調整するよう形成されることを特徴とする請求項４３記載の装置。
【請求項４５】
複数のアンテナ素子が、送信信号を形成するために複数の修正済み送信前信号を送信するよう形成され、前記送信信号は、第２通信装置で受信される場合に最適な電力を有するように形成されることを特徴とする請求項４３記載の装置。
【請求項４６】
前記送信信号の電力は、当該第１通信装置及び第２通信装置間のチャネルのフェージングに関して最適化されることを特徴とする請求項４３記載の装置。
【請求項４７】
第１通信装置が通信リンク上で第２通信装置と通信を行うための方法であって、前記第１通信装置は複数のアンテナ素子を有し、当該方法は：
前記第２通信装置から品質指示信号を受信するステップであって、前記品質指示信号は符号分割多重アクセス（ＣＤＭＡ）プロトコルに準拠する電力制御ビットより成り、前記電力制御ビットは複数の期間の各期間に関する値を有し、前記制御ビットは、前記第２通信装置により生成され、前記第２通信装置に対する所定の閾値条件が充足され得るように、前記第１通信装置における送信信号の電力に対する調整内容を示すところのステップ；
品質指示信号に基づいて複素ウエイトを算出するステップであって、前記送信信号は第１の電力制御グループ（ＰＣＧ）と第２のＰＣＧを含み、前記第１のＰＣＧは、ある値を有する自身の位相回転とある値を有する自身の電力比率とに関連付けられ、前記第２のＰＣＧは、前記第１のＰＣＧの位相回転値に位相オフセットを加えた値を有する自身の位相回転と、前記第１のＰＣＧの電力比率値に電力比率オフセットを加えた値を有する自身の電力比率とに関連付けられるところのステップ；
より成り、該複素ウエイトを算出するステップが：
受信した電力制御ビットに基づいて送信信号の全電力を調整するステップ；
最新の期間における電力制御ビットの値が、次に最新の期間における電力制御ビットの値と異なる場合には、前記第１のＰＣＧに関する位相回転及び前記第２のＰＣＧに関する位相回転を調整するステップ；
最新の期間における電力制御ビットの値が、次に最新の期間における電力制御ビットの値と異なる場合には、送信信号の全電力を維持し、前記第１のＰＣＧに関する電力比率及び前記第２のＰＣＧに関する電力比率を調整するステップ；
複数の修正済み送信前信号を生成するために、前記複素ウエイトに基づいて送信前信号を修正するステップであって、複数の修正済み送信前信号の各修正済み送信前信号は、複数のアンテナ素子の内のアンテナ素子に固有に関連付けられるところのステップ；及び
効果的に合成される送信信号を生成するために、複数の修正済み送信前信号を複数のアンテナ素子から送信するステップであって、前記複素ウエイトは、送信信号の全電力と、複数のアンテナ素子の各アンテナ素子に関連する位相回転及び電力比率の少なくとも１つとに関連付けられるところのステップ；
より成ることを特徴とする方法。
【請求項４８】
複数のアンテナ素子を有する第１の通信装置において、１以上の第２の通信装置から１以上の品質指示信号を受信するステップ；
前記１以上の品質指示信号に従って複素ウエイトを算出するステップ；
前記複素ウエイトに従って複数の送信前信号の少なくとも一部を変調するステップであって、前記複数の送信前信号中の送信前信号は前記複数のアンテナ素子中のアンテナ素子に関連付けられ、送信前信号の一部は、複数の変調特性の内の少なくとも１つの変調特性を調整することで変調されるところのステップ；及び
合成された送信信号を得るために複数のアンテナ素子から複数の送信前信号を送信するステップであって、前記複素ウエイトは、前記合成された送信信号の最適化に関連付けられるところのステップ；
より成ることを特徴とする信号を通信する方法。
【請求項４９】
合成された送信信号の最適化が、更に、前記合成された送信信号の全電力を最小化することを含むことを特徴とする請求項４８記載の方法。
【請求項５０】
合成された送信信号の最適化が、更に、前記第１の通信装置と前記１以上の第２の通信装置との間の干渉を管理することを含むことを特徴とする請求項４８記載の方法。
【請求項５１】
前記複数の変調特性が、送信される信号の全電力、アンテナ素子に関連する位相回転、アンテナ素子に関連する電力比率、アンテナ素子に関連する振幅、アンテナ素子に関連する時間遅延、及びアンテナ素子に関連する周波数シフトより成ることを特徴とする請求項４８記載の方法。
【請求項５２】
前記１以上の品質指示信号に従って複素ウエイトを算出するステップが、更に、複数の変調特性の少なくとも一部を調整するステップより成ることを特徴とする請求項４８記載の方法。
【請求項５３】
前記１以上の品質指示信号に従って複素ウエイトを算出するステップが、更に：
複数の変調特性の内の第１の変調特性を実質的に最適化するステップ；及び
複数の変調特性の内の第２の変調特性を維持するステップ；
より成ることを特徴とする請求項４８記載の方法。
【請求項５４】
前記１以上の品質指示信号に従って複素ウエイトを算出するステップが、更に：
送信される信号の全電力を実質的に最小化するステップ；及び
前記複数の変調特性のうちの変調特性を維持するステップ；
より成ることを特徴とする請求項４８記載の方法。
【請求項５５】
前記１以上の品質指示信号に従って複素ウエイトを算出するステップが、更に：
複数の変調特性の内の第１の変調特性を調整するステップ；及び
複数の変調特性の内の第２の変調特性を維持するステップ；
より成ることを特徴とする請求項４８記載の方法。
【請求項５６】
前記１以上の品質指示信号に従って複素ウエイトを算出するステップが、更に：
送信される信号の全電力を実質的に調整するステップ；及び
複数の変調特性の内の変調特性を維持するステップ；
より成ることを特徴とする請求項４８記載の方法。
【請求項５７】
前記１以上の品質指示信号に従って複素ウエイトを算出するステップが、更に：
複数の変調特性の内の第２の変調特性を維持する一方、複数の変調特性の内の第１の変調特性を調整するステップ；及び
前記第１の変調特性を維持する一方、前記第２の変調特性を調整するステップ；
より成ることを特徴とする請求項４８記載の方法。
【請求項５８】
前記１以上の品質指示信号に従って複素ウエイトを算出するステップが、更に：
第１の定常状態が得られるまで、複数の変調特性の内の第２の変調特性を維持する一方、複数の変調特性の内の第１の変調特性を調整するステップ；
前記第１の変調特性を維持する一方、前記第２の変調特性を調整するステップ；及び
前記第２の定常状態が得られるまで、前記第２の変調特性を維持する一方、前記第１の変調特性を調整するステップ；
より成ることを特徴とする請求項４８記載の方法。
【請求項５９】
前記１以上の品質指示信号に従って複素ウエイトを算出するステップが、更に：
１以上の品質指示信号の第１の定常状態を検出するステップ；
複数のアンテナ素子の内のアンテナ素子に関連付けられる位相回転を調整するステップ；
前記アンテナ素子に関連付けられる前記位相回転について第１の方向を選択するステップ；及び
１以上の品質指示信号の第２の定常状態が得られるまで、前記第１の方向に位相回転を調整するステップ；
より成ることを特徴とする請求項４８記載の方法。
【請求項６０】
前記１以上の品質指示信号が、複数の電力制御グループより成り；及び
前記１以上の品質指示信号に従って複素ウエイトを算出するステップが、更に、複数の変調特性の内の１以上の変調特性を調整するステップより成る；
ことを特徴とする請求項４８記載の方法。
【請求項６１】
前記１以上の品質指示信号が、複数の電力制御グループより成り；
前記１以上の変調特性が、第１群の変調特性及び第２群の変調特性より成り；及び
前記１以上の品質指示信号に従って複素ウエイトを算出するステップが、更に：
第１の期間における電力制御ビットについての第１のビット値が、第２の期間における電力制御ビットについての第２のビット値に符号する場合に、前記第２群を維持する一方前記第１群を調整するステップ；及び
前記第１のビット値が前記第２のビット値と異なる場合に、前記第１群を維持する一方前記第２群を調整するステップ；
より成ることを特徴とする請求項４８記載の方法。
【請求項６２】
前記１以上の品質指示信号が、複数の電力制御グループより成り；及び
前記１以上の品質指示信号に従って複素ウエイトを算出するステップが、更に：
第１の期間における電力制御ビットについての第１のビット値が、第２の期間における電力制御ビットについての第２のビット値に符号する場合に、複数の電力制御グループに関する複数の変調特性の内の１以上の変調特性を維持する一方、送信される信号の全電力を調整するステップ；及び
前記第１のビット値が前記第２のビット値と異なる場合に、送信される信号の全電力を維持する一方、複数の変調特性の内の１以上の変調特性を調整するステップ；
より成ることを特徴とする請求項４８記載の方法。
【請求項６３】
前記第１の通信装置が、符号分割多重接続（ＣＤＭＡ）プロトコルに準拠して形成される１以上の通信リンクを利用して、１以上の第２の通信装置と通信するよう動作し得る
ことを特徴とする請求項４８記載の方法。
【請求項６４】
前記第１の通信装置が、時分割多重接続（ＴＤＭＡ）プロトコルに準拠して形成される１以上の通信リンクを利用して、１以上の第２の通信装置と通信するよう動作し得る
ことを特徴とする請求項４８記載の方法。
【請求項６５】
前記第１の通信装置が、周波数分割多重接続（ＦＤＭＡ）プロトコルに準拠して形成される１以上の通信リンクを利用して、１以上の第２の通信装置と通信するよう動作し得る
ことを特徴とする請求項４８記載の方法。
【請求項６６】
前記第１の通信装置が加入者通信装置より成り；及び
前記１以上の第２の通信装置が１以上の基地局より成る；
ことを特徴とする請求項４８記載の方法。
【請求項６７】
前記第１の通信装置が基地局より成り；及び
前記１以上の第２の通信装置が１以上の加入者通信装置より成る；
ことを特徴とする請求項４８記載の方法。
【請求項６８】
前記第１の通信装置が第１の基地局より成り；及び
前記１以上の第２の通信装置が１以上の第２の基地局より成る；
ことを特徴とする請求項４８記載の方法。
【請求項６９】
前記第１の通信装置が第１の加入者通信装置より成り；
前記１以上の第２の通信装置が１以上の第２の加入者通信装置より成る；
ことを特徴とする請求項４８記載の方法。
【請求項７０】
前記１以上の品質指示信号が電力制御ビットより成り、前記電力制御ビットは、前記第１の通信装置に関連する送信信号の電力に対して要求される調整を示すことを特徴とする請求項４８記載の方法。
【請求項７１】
前記１以上の品質指示信号が、フレーム品質インジケータより成ることを特徴とする請求項４８記載の方法。
【請求項７２】
前記複素ウエイトに従って複数の送信前信号の少なくとも一部を変調するステップが、更に：
第１の信号成分及び第２の信号成分に送信前信号を分けるステップ；
前記複素ウエイトに従って前記第１の信号成分及び前記第２の信号成分を調整するステップ；及び
前記第１の信号成分及び前記第２の信号成分を合成するステップ；
より成ることを特徴とする請求項４８記載の方法。
【請求項７３】
信号を通信する第１通信装置であって：
１以上の第２通信装置から１以上の品質指示信号を受信し；及び
前記１以上の品質指示信号に従って複素ウエイトを算出する；
よう動作させる制御論理部より成り、
前記制御論理部に接続され、前記複素ウエイトに従って複数の送信前信号の少なくとも一部を変調するよう動作する１以上の回路であって、前記送信前信号の一部は、複数の変調特性の内の少なくとも１つの変調特性を調整することで変調されるところの１以上の回路；及び
前記１以上の回路に接続され、合成された送信信号を得るために複数の送信前信号を送信する複数のアンテナ素子であって、前記複数の送信前信号中の送信前信号は前記複数のアンテナ素子中のアンテナ素子に関連付けられ、前記複素ウエイトは、前記合成された送信信号の最適化に関連付けられるところの複数のアンテナ素子；
より成ることを特徴とする信号を通信する第１通信装置。
【請求項７４】
合成された送信信号の最適化が、更に、前記合成された送信信号の全電力を最小化することを含むことを特徴とする請求項７３記載の第１通信装置。
【請求項７５】
合成された送信信号の最適化が、更に、前記第１の通信装置と前記１以上の第２の通信装置との間の干渉を管理することを含むことを特徴とする請求項７３記載の第１通信装置。
【請求項７６】
前記複数の変調特性が、送信される信号の全電力、アンテナ素子に関連する位相回転、アンテナ素子に関連する電力比率、アンテナ素子に関連する振幅、アンテナ素子に関連する時間遅延、及びアンテナ素子に関連する周波数シフトより成ることを特徴とする請求項７３記載の第１通信装置。
【請求項７７】
前記制御論理部が、複数の変調特性の少なくとも一部を調整することにより、前記１以上の品質指示信号に従って複素ウエイトを算出するよう動作させることを特徴とする請求項７３記載の第１通信装置。
【請求項７８】
複数の変調特性の内の第１の変調特性を実質的に最適化し；及び
複数の変調特性の内の第２の変調特性を維持する；
ことによって、前記論理制御部が、前記１以上の品質指示信号に従って複素ウエイトを算出させることを特徴とする請求項７３記載の第１通信装置。
【請求項７９】
送信される信号の全電力を実質的に最小化し；及び
前記複数の変調特性のうちの変調特性を維持する；
ことによって、前記論理制御部が、前記１以上の品質指示信号に従って複素ウエイトを算出させることを特徴とする請求項７３記載の第１通信装置。
【請求項８０】
複数の変調特性の内の第１の変調特性を調整し；及び
複数の変調特性の内の第２の変調特性を維持する；
ことによって、前記論理制御部が、前記１以上の品質指示信号に従って複素ウエイトを算出させることを特徴とする請求項７３記載の第１通信装置。
【請求項８１】
送信される信号の全電力を実質的に調整し；及び
複数の変調特性の内の変調特性を維持する；
ことによって、前記論理制御部が、前記１以上の品質指示信号に従って複素ウエイトを算出させることを特徴とする請求項７３記載の第１通信装置。
【請求項８２】
複数の変調特性の内の第２の変調特性を維持する一方、複数の変調特性の内の第１の変調特性を調整し；及び
前記第１の変調特性を維持する一方、前記第２の変調特性を調整する；
ことによって、前記論理制御部が、前記１以上の品質指示信号に従って複素ウエイトを算出させることを特徴とする請求項７３記載の第１通信装置。
【請求項８３】
第１の定常状態が得られるまで、複数の変調特性の内の第２の変調特性を維持する一方、複数の変調特性の内の第１の変調特性を調整し；
前記第１の変調特性を維持する一方、前記第２の変調特性を調整し；及び
前記第２の定常状態が得られるまで、前記第２の変調特性を維持する一方、前記第１の変調特性を調整する；
ことによって、前記論理制御部が、前記１以上の品質指示信号に従って複素ウエイトを算出させることを特徴とする請求項７３記載の第１通信装置。
【請求項８４】
１以上の品質指示信号の第１の定常状態を検出し；
複数のアンテナ素子の内のアンテナ素子に関連付けられる位相回転を調整し；
前記アンテナ素子に関連付けられる前記位相回転について第１の方向を選択し；及び
１以上の品質指示信号の第２の定常状態が得られるまで、前記第１の方向に位相回転を調整する；
ことによって、前記論理制御部が、前記１以上の品質指示信号に従って複素ウエイトを算出させることを特徴とする請求項７３記載の第１通信装置。
【請求項８５】
前記１以上の品質指示信号が、複数の電力制御グループより成り；及び
複数の変調特性の内の１以上の変調特性を調整することによって、前記論理制御部が、前記１以上の品質指示信号に従って複素ウエイトを算出させる；
ことを特徴とする請求項７３記載の第１通信装置。
【請求項８６】
前記１以上の品質指示信号が、複数の電力制御グループより成り；
前記１以上の変調特性が、第１群の変調特性及び第２群の変調特性より成り；及び
第１の期間における電力制御ビットについての第１のビット値が、第２の期間における電力制御ビットについての第２のビット値に符号する場合に、前記第２群を維持する一方前記第１群を調整し；及び
前記第１のビット値が前記第２のビット値と異なる場合に、前記第１群を維持する一方前記第２群を調整する；
ことによって、前記論理制御部が、前記１以上の品質指示信号に従って複素ウエイトを算出させることを特徴とする請求項７３記載の第１通信装置。
【請求項８７】
前記１以上の品質指示信号が、複数の電力制御グループより成り；及び
第１の期間における電力制御ビットについての第１のビット値が、第２の期間における電力制御ビットについての第２のビット値に符号する場合に、複数の電力制御グループに関する複数の変調特性の内の１以上の変調特性を維持する一方、送信される信号の全電力を調整し；及び
前記第１のビット値が前記第２のビット値と異なる場合に、送信される信号の全電力を維持する一方、複数の変調特性の内の１以上の変調特性を調整する；
ことによって、前記論理制御部が、前記１以上の品質指示信号に従って複素ウエイトを算出させることを特徴とする請求項７３記載の第１通信装置。
【請求項８８】
符号分割多重接続（ＣＤＭＡ）プロトコルに準拠して形成される１以上の通信リンクを利用して、１以上の第２の通信装置と通信するよう動作し得る
ことを特徴とする請求項７３記載の第１通信装置。
【請求項８９】
時分割多重接続（ＴＤＭＡ）プロトコルに準拠して形成される１以上の通信リンクを利用して、１以上の第２の通信装置と通信するよう動作し得る
ことを特徴とする請求項７３記載の第１通信装置。
【請求項９０】
周波数分割多重接続（ＦＤＭＡ）プロトコルに準拠して形成される１以上の通信リンクを利用して、１以上の第２の通信装置と通信するよう動作し得る
ことを特徴とする請求項７３記載の第１通信装置。
【請求項９１】
前記第１通信装置が加入者通信装置より成り；及び
前記１以上の第２通信装置が１以上の基地局より成る；
ことを特徴とする請求項７３記載の第１通信装置。
【請求項９２】
前記第１通信装置が基地局より成り；及び
前記１以上の第２通信装置が１以上の加入者通信装置より成る；
ことを特徴とする請求項７３記載の第１通信装置。
【請求項９３】
前記第１通信装置が第１の基地局より成り；及び
前記１以上の第２通信装置が１以上の第２の基地局より成る；
ことを特徴とする請求項７３記載の第１通信装置。
【請求項９４】
前記第１通信装置が第１の加入者通信装置より成り；
前記１以上の第２通信装置が１以上の第２の加入者通信装置より成る；
ことを特徴とする請求項７３記載の第１通信装置。
【請求項９５】
前記１以上の品質指示信号が電力制御ビットより成り、前記電力制御ビットは、前記第１の通信装置に関連する送信信号の電力に対して要求される調整を示すことを特徴とする請求項７３記載の第１通信装置。
【請求項９６】
前記１以上の品質指示信号が、フレーム品質インジケータより成ることを特徴とする請求項７３記載の第１通信装置。
【請求項９７】
第１の信号成分及び第２の信号成分に送信前信号を分け；
前記複素ウエイトに従って前記第１の信号成分及び前記第２の信号成分を調整し；及び
前記第１の信号成分及び前記第２の信号成分を合成する；
ことによって、前記１以上の回路が、前記複素ウエイトに従って複数の送信前信号の少なくとも一部を変調するよう動作することを特徴とする請求項７３記載の第１通信装置。
【請求項９８】
複数のアンテナ素子を有する第１の通信装置において、１以上の第２の通信装置から１以上の品質指示信号を受信する手段；
前記１以上の品質指示信号に従って複素ウエイトを算出する手段；
前記複素ウエイトに従って複数の送信前信号の少なくとも一部を変調する手段であって、前記複数の送信前信号中の送信前信号は前記複数のアンテナ素子中のアンテナ素子に関連付けられ、送信前信号の一部は、複数の変調特性の内の少なくとも１つの変調特性を調整することで変調されるところの手段；及び
合成された送信信号を得るために複数のアンテナ素子から複数の送信前信号を送信する手段であって、前記複素ウエイトは、前記合成された送信信号の最適化に関連付けられるところの手段；
を備えることを特徴とする信号を通信するシステム。
【請求項９９】
送信信号を送信するために、複数のアンテナ素子を有する第１の通信装置において、１以上の第２の通信装置から１以上の品質指示信号を受信するステップであって、前記複数のアンテナ素子は、送信信号の全電力、アンテナ素子に関連する位相回転、アンテナ素子に関連する電力比率、アンテナ素子に関連する振幅、アンテナ素子に関連する時間遅延、及びアンテナ素子に関連する周波数シフトより成る複数の変調特性に関連付けられ、前記変調特性は第１群の変調特性及び第２群の変調特性より成り、前記１以上の品質指示信号はフレーム品質インジケータ及び電力制御ビットの少なくとも１つより成り、前記電力制御ビットは、前記第１の通信装置に関連する送信信号の電力に対して要求される調整を示し、前記第１の通信装置は、符号分割多重接続（ＣＤＭＡ）プロトコル、時分割多重接続（ＴＤＭＡ）プロトコル、周波数分割多重接続（ＦＤＭＡ）プロトコルの少なくとも１つに準拠して形成される１以上の通信リンクを利用して、前記１以上の第２の通信装置と通信するよう動作することが可能であり、前記第１の通信装置及び前記１以上の第２の通信装置については：
前記第１の通信装置が加入者通信装置より成り、前記１以上の第２の通信装置が１以上の基地局より成る；
前記第１の通信装置が基地局より成り、前記１以上の第２の通信装置が１以上の加入者通信装置より成る；
前記第１の通信装置が第１の基地局より成り、前記１以上の第２の通信装置が１以上の第２の基地局より成る；及び
前記第１の通信装置が第１の加入者通信装置より成り、前記１以上の第２の通信装置が１以上の第２の加入者通信装置より成る；
ことの少なくとも１つであるところのステップ；
前記１以上の品質指示信号に従って複素ウエイトを算出するステップであって、前記１以上の品質指示信号が複数の電力制御部ループより成り、前記複素ウエイトが：
複数の変調特性の少なくとも一部を調整すること；
複数の変調特性の内の第１の変調特性を実質的に最適化し、複数の変調特性の第２の変調特性を維持すること；
送信信号の全電力を実質的に維持し、複数の変調特性の内の変調特性を維持すること；
複数の変調特性の内の第１の変調特性を調整し、複数の変調特性の内の第２の変調特性を維持すること；
送信信号の全電力を実質的に調整し、複数の変調特性の内の変調特性を維持すること；
複数の変調特性の内の第２の変調特性を維持する一方、複数の変調特性の内の第１の変調特性を調整し、前記第１の変調特性を維持する一方、前記第２の変調特性を調整すること；
第１の定常状態が得られるまで、複数の変調特性の第２の変調特性を維持し、複数の変調特性の第１の変調特性を調整し、前記第１の変調特性を維持する一方前記第２の変調特性を調整し、第２の定常状態が得られるまで、前記第２の変調特性を維持する一方、前記変調特性を調整すること；
前記１以上の品質指示信号の第１の定常状態を検出し、複数のアンテナ素子中のアンテナ素子に関する位相回転を調整し、前記アンテナ素子に関する位相回転に対する第１の方向を選択し、前記１以上の品質指示信号の第２の定常状態が得られるまで、前記第１の方向に位相回転を調整すること；
第１の期間における電力制御ビットに対する第１ビット値が、第２の期間における電力制御ビットの第２ビット値に符合する場合には、前記第２群の変調特性を維持する一方前記第１群の変調特性を調整し、前記第１ビット値が前記第２ビット値と異なる場合には前記第１群を維持する一方前記第２群を調整すること；及び
第１の期間における電力制御ビットに対する第１ビット値が、第２の期間における電力制御ビットの第２ビット値に符合する場合には、複数の電力制御グループに関する複数の変調特性の内の１以上の変調特性を維持する一方、送信信号の全電力を調整し、前記第１ビット値が前記第２ビット値と異なる場合には、送信信号の全電力を維持する一方、複数の変調特性の内の１以上の変調特性を調整すること；
の少なくとも１つを実行することによって算出されるところのステップ；
前記複素ウエイトに従って複数の送信前信号の少なくとも一部を変調するステップであって、前記複数の送信前信号中の送信前信号は前記複数のアンテナ素子中のアンテナ素子に関連付けられ、送信前信号の一部は、複数の変調特性の内の少なくとも１つの変調特性を調整することで変調され、複数の送信前信号の少なくとも一部が：
第１信号成分及び第２信号成分に送信前信号を分割し；
前記複素ウエイトに従って前記第１信号成分及び前記第２信号成分を調整し；及び
前記第１信号成分及び前記第２信号成分を合成する；
ことによって、前記複素ウエイトに従って変調されるところのステップ；並びに
合成された送信信号を得るために複数のアンテナ素子から複数の送信前信号を送信するステップであって、前記複素ウエイトは、前記合成された送信信号の最適化に関連付けられ、合成された送信信号の最適化は、更に、合成された送信信号の全電力を最小化すること、及び前記第１の通信装置と前記１以上の第２の通信装置との間の干渉を管理することの少なくとも１つを含むところのステップ；
より成ることを特徴とする方法。